(57)【要約】  【課題】施錠時のワイヤー部の取り回しをより容易にすることが可能な自転車用のワイヤー錠取付システムを提供する。【解決手段】自転車用のワイヤー錠取付システムは、ワイヤー錠取付具と、ワイヤー部とを備え、ワイヤー錠取付具は、逆Ｕ字形状に形成された取付具本体と、取付具本体に設けられ、ワイヤー部のワイヤー部分をスライド自在にガイドする複数のガイド部と、取付具本体に設けられ、隣り合うガイド部の間において、ワイヤー部分を係止する係止部と、取付具本体に設けられ、自転車に取り付けるための取付構造とを備え、ガイド部には、ワイヤー部分を挿通するためのワイヤー部分挿通孔が形成され、ワイヤー部分は、隣り合うガイド部の間において、一方のワイヤー部分挿通孔から延出させ、他方のワイヤー部分挿通孔に挿通され、延出させたワイヤー部分を環形状に形成されてから、ワイヤー部分の環形状に形成された部分が係止部に引っ掛けて係止される。【選択図】図４
2020142616.tif 000002
【特許請求の範囲】
【請求項１】
自転車用のワイヤー錠取付システムであって、ワイヤー錠取付具と、ワイヤー部とを備え、ワイヤー錠取付具は、逆Ｕ字形状に形成された取付具本体と、取付具本体に設けられ、ワイヤー部のワイヤー部分をスライド自在にガイドする複数のガイド部と、取付具本体に設けられ、隣り合うガイド部の間において、ワイヤー部分を係止する係止部と、取付具本体に設けられ、自転車に取り付けるための取付構造とを備え、ガイド部には、ワイヤー部分を挿通するためのワイヤー部分挿通孔が形成され、ワイヤー部分は、隣り合うガイド部の間において、一方のワイヤー部分挿通孔から延出させ、他方のワイヤー部分挿通孔に挿通され、延出させたワイヤー部分を環形状に形成されてから、ワイヤー部分の環形状に形成された部分が係止部に引っ掛けて係止されることを特徴とする自転車用のワイヤー錠取付システム。
【発明の詳細な説明】
【技術分野】
【０００１】
本発明は、自転車用のワイヤー錠取付システムに関する。
【背景技術】
【０００２】
従来、ワイヤー錠取付具と、ワイヤー部とを備え、ワイヤー錠取付具は、上端部が湾曲した馬蹄形の板材である取付具本体と、取付具本体の前面部に、取付具本体に沿って設けられ、ワイヤー錠をスライド自在にガイドする複数のガイド部と、取付具本体の下端部に設けられ、自転車のシートステイに取り付けるための取付構造とを備え、それぞれのガイド部には、ワイヤー錠のワイヤー部を取付具本体に沿って挿通するためのワイヤー部挿通孔が形成され、ワイヤー部は、隣り合うワイヤー部挿通孔の間において、一方のワイヤー部挿通孔から延出させ、環形状を形成されてから、他方のワイヤー部挿通孔に挿通されることを特徴とする自転車用のワイヤー錠取付システム（特許文献１参照）が知られている。
【先行技術文献】
【特許文献】
【０００３】
【特許文献１】特許第６４０９１９５号公報
【発明の概要】
【発明が解決しようとする課題】
【０００４】
特許文献１の自転車用のワイヤー錠取付システムは、ワイヤー錠を使用しない場合に、ワイヤー錠を保持するためにはワイヤー錠を施錠する必要がない。しかしながら、施錠時のワイヤー部の取り回しをより容易にすることが望まれている。
本発明は、施錠時のワイヤー部の取り回しをより容易にすることが可能な自転車用のワイヤー錠取付システムを提供することを目的とする。
【課題を解決するための手段】
【０００５】
上記課題を解決するための手段として、本発明の自転車用のワイヤー錠取付システムは、ワイヤー錠取付具と、ワイヤー部とを備え、ワイヤー錠取付具は、逆Ｕ字形状に形成された取付具本体と、取付具本体に設けられ、ワイヤー部のワイヤー部分をスライド自在にガイドする複数のガイド部と、取付具本体に設けられ、隣り合うガイド部の間において、ワイヤー部分を係止する係止部と、取付具本体に設けられ、自転車に取り付けるための取付構造とを備え、ガイド部には、ワイヤー部分を挿通するためのワイヤー部分挿通孔が形成され、ワイヤー部分は、隣り合うガイド部の間において、一方のワイヤー部分挿通孔から延出させ、他方のワイヤー部分挿通孔に挿通され、延出させたワイヤー部分を環形状に形成されてから、ワイヤー部分の環形状に形成された部分が係止部に引っ掛けて係止される。
【発明の効果】
【０００６】
本発明によれば、施錠時のワイヤー部の取り回しをより容易にすることが可能となる。
【図面の簡単な説明】
【０００７】
【図１】本発明の第一の実施形態における自転車用のワイヤー錠取付システムのワイヤー錠取付具を示す斜視図である。
【図２】図１のワイヤー錠取付具に、ワイヤー部を取り付けたワイヤー錠取付システムを示す斜視図である。
【図３】図２のワイヤー錠取付システムのワイヤー部を、施錠した状態を示す斜視図である。
【図４】図３の施錠したワイヤー部を、解錠してワイヤー部分を係止部に係止した状態を示す斜視図である。
【図５】図４のワイヤー錠取付システムを、自転車に取り付けた状態を示す斜視図である。
【図６】本発明の第二の実施形態における自転車用のワイヤー錠取付システムのワイヤー錠取付具を示す斜視図である。
【図７】図６のワイヤー錠取付具に、ワイヤー部を取り付けたワイヤー錠取付システムを示す斜視図である。
【図８】図６のワイヤー錠取付システムのワイヤー部を、施錠した状態を示す斜視図である。
【図９】図６の施錠したワイヤー部を、解錠してワイヤー部分を係止部に係止した状態を示す斜視図である。
【図１０】図９のワイヤー錠取付システムを、自転車に取り付けた状態を示す斜視図である。
【発明を実施するための形態】
【０００８】
本発明に係る自転車用のワイヤー錠取付システムの実施形態について、図面を用いて説明するが、以下に説明する実施形態のみに限定されるものではない。
［第一の実施形態］
図１は、本発明の第一の実施形態における自転車用のワイヤー錠取付システムのワイヤー錠取付具を示す斜視図である。
ワイヤー錠取付具１は、逆Ｕ字形状に形成された取付具本体２と、取付具本体２に設けられ、ワイヤー部１０（図２参照）のワイヤー部分１１（図２参照）をスライド自在にガイドする複数のガイド部３と、取付具本体２に設けられ、隣り合うガイド部３の間において、ワイヤー部分１１（図２参照）を係止する係止部４と、取付具本体２に設けられ、自転車に取り付けるための取付構造とを備え、ガイド部３には、ワイヤー部分１１（図２参照）を挿通するためのワイヤー部分挿通孔５が形成される。
【０００９】
取付具本体２は、逆Ｕ字形状に形成された板材で、ガイド部３は、取付具本体２に設けられ、取付具本体２の前面部６から上方に向かって延び、上面部が半円柱形状に形成され、係止部４は、取付具本体２に設けられ、取付具本体２の先端部７の左右方向中央付近から上方に向かって延び、上端部が左右両側に向かって延び、Ｔ字形状に形成される。
【００１０】
自転車に取り付けるための取付構造として、取付具本体２の背面部８に設けられ、背面部８の前後方向中央付近より前側と後側に、自転車のシートステイ１４（図５参照）を挟み込んで取り付けるための左右一対の取付バンド９が設けられる。
【００１１】
図２は、図１のワイヤー錠取付具に、ワイヤー部を取り付けたワイヤー錠取付システムを示す斜視図である。
ワイヤー部１０は、ワイヤー部分１１の左右両端を、隣り合う左右それぞれのガイド部３に形成されるワイヤー部分挿通孔５に差し込まれて、スライド自在に取り付けられる。
【００１２】
図３は、図２のワイヤー錠取付システムのワイヤー部を、施錠した状態を示す斜視図である。
ワイヤー部１０は、左右それぞれのワイヤー部分挿通孔５に差し込まれたワイヤー部分１１の左右両端を引っ張り、ワイヤー部１０の錠穴部分１２にワイヤー部１０の錠杆部分１３（図２参照）を差し込んで施錠される。
【００１３】
図４は、図３の施錠したワイヤー部を、解錠してワイヤー部分を係止部に係止した状態を示す斜視図である。
解錠したワイヤー部１０は、隣り合う左右それぞれのガイド部３の間のワイヤー部分１１を引っ張り、ワイヤー部分挿通孔５から延出させたワイヤー部分１１の中央付近を半回転させて環形状に形成されてから、ワイヤー部分１１の環形状に形成された部分が係止部４に引っ掛けて係止される。
【００１４】
図５は、図４のワイヤー錠取付システムを、自転車に取り付けた状態を示す斜視図である。
ワイヤー錠取付具１は、取付具本体２の背面部８に備えた取付バンド９で、シートステイ１４を挟み込み、取付バンド締付ボルトナット１５で締め付けて自転車に取り付けられる。
【００１５】
［第二の実施形態］
図６は、本発明の第二の実施形態における自転車用のワイヤー錠取付システムのワイヤー錠取付具を示す斜視図である。
ワイヤー錠取付具１６は、逆Ｕ字形状に形成された取付具本体２と、取付具本体２に設けられ、ワイヤー部１０（図７参照）のワイヤー部分１１（図７参照）をスライド自在にガイドする複数のガイド部３と、取付具本体２に設けられ、隣り合うガイド部３の間において、ワイヤー部分１１（図７参照）を係止する係止部１７と、取付具本体２に設けられ、自転車に取り付けるための取付構造とを備え、ガイド部３には、ワイヤー部分１１（図７参照）を挿通するためのワイヤー部分挿通孔５が形成される。
【００１６】
取付具本体２は、逆Ｕ字形状に形成された板材で、ガイド部３は、取付具本体２に設けられ、取付具本体２の前面部６から上方に向かって延び、上面部が半円柱形状に形成され、係止部１７は、取付具本体２に設けられ、取付具本体２の先端部７から上方に向かって延びる係止突起支持部分１８と、係止突起支持部分１８の上面部１９の左右方向中央付近から、係止突起支持部分１８の左右方向の幅より狭い幅で上方に向かって延び、上端部が左右両側に向かって延び、Ｔ字形状に形成され係止突起部分２０とを備える。
【００１７】
自転車に取り付けるための取付構造として、取付具本体２の背面部８に設けられ、背面部８の前後方向中央付近より前側と後側に、自転車のシートステイ２１（図１０参照）を挟み込んで取り付けるための左右一対の取付バンド９が設けられる。
【００１８】
図７は、図６のワイヤー錠取付具に、ワイヤー部を取り付けたワイヤー錠取付システムを示す斜視図である。
ワイヤー部１０は、ワイヤー部分１１の左右両端を、隣り合う左右それぞれのガイド部３に形成されるワイヤー部分挿通孔５に差し込まれて、スライド自在に取り付けられる。
【００１９】
図８は、図７のワイヤー錠取付システムのワイヤー部を、施錠した状態を示す斜視図である。
ワイヤー部１０は、左右それぞれのワイヤー部分挿通孔５に差し込まれたワイヤー部分１１の左右両端を引っ張り、ワイヤー部１０の錠穴部分１２にワイヤー部１０の錠杆部分１３（図７参照）を差し込んで施錠される。
【００２０】
図９は、図８の施錠したワイヤー部を、解錠してワイヤー部分を係止部に係止した状態を示す斜視図である。
解錠したワイヤー部１０は、隣り合う左右それぞれのガイド部３の間のワイヤー部分１１を引っ張り、ワイヤー部分挿通孔５から延出させたワイヤー部分１１の中央付近を半回転させて環形状に形成されてから、ワイヤー部分１１の環形状に形成された部分が係止部１７に引っ掛けて係止される。
【００２１】
係止突起支持部分１８を設けたことにより、ワイヤー部分１１の環形状に形成された部分を、係止突起支持部分１８が延びる方向（上方）に倒すことが可能となり、例えば、自転車を構成する部品に、ワイヤー部分１１が当接することを防止できる。
【００２２】
図１０は、図９のワイヤー錠取付システムを、自転車に取り付けた状態を示す斜視図である。
ワイヤー錠取付具１６は、取付具本体２の背面部８に備えた取付バンド９で、シートステイ２１を挟み込み、取付バンド締付ボルトナット１５で締め付けて自転車に取り付けられる。
【符号の説明】
【００２３】
１  ワイヤー錠取付具
２  取付具本体
３  ガイド部
４  係止部
５  ワイヤー部分挿通孔
６  前面部
７  先端部
８  背面部
９  取付バンド
１０  ワイヤー部
１１  ワイヤー部分
１２  錠穴部分
１３  錠杆部分
１４  シートステイ
１５  取付バンド締付ボルトナット
１６  ワイヤー錠取付具
１７  係止部
１８  係止突起支持部分
１９  上面部
２０  係止突起部分
２１  シートステイ
【図１】
2020142616.tif 000003
【図２】
2020142616.tif 000004
【図３】
2020142616.tif 000005
【図４】
2020142616.tif 000006
【図５】
2020142616.tif 000007
【図６】
2020142616.tif 000008
【図７】
2020142616.tif 000009
【図８】
2020142616.tif 000010
【図９】
2020142616.tif 000011
【図１０】
2020142616.tif 000012